(57)【特許請求の範囲】
【請求項１】
ゴム栓付き瓶の該ゴム栓に針刺しできる第１吸引口を備える注射針状の第１吸液器が設けられ、
上記第１吸液器に被嵌されかつアンプル瓶の開口部より小径であって、先端に第２吸引口を有する第２吸液器が上記第１吸液器の長手方向に収縮可能に取り付けられ、
上記ゴム栓に上記第１吸液器を穿刺する際には、上記第２吸液器が収縮して該第１吸引口が穿刺されるようになっているとともに、アンプル瓶から流体を吸引する際には、上記第２吸液器がアンプル瓶内に挿入され、該第２吸液器の上記第２吸引口によりアンプル瓶内の液体を吸引するようになっており、
上記第２吸液器の第２吸引口は、アンプル瓶壁面に追従して変形し得る材質で構成されるとともに、該第２吸引器の先端に傾斜して開口するように形成され、その先端部分は、通常状態では上記第１吸引器の先端部分よりわずかに長く配設されていることを特徴とする吸液体。
【請求項２】
請求項１に記載の吸液体において、
第１吸液器は剛性のプラスチックからなり、第２吸液器はゴムまたはエラストマーからなることを特徴とする吸液体。
【請求項３】
請求項１または２に記載の吸液体において、
第１吸液器の第１吸引口が該第１吸液器の側面部に開口され、該吸引口よりも先端に先細の突起部を備えることを特徴とする吸液体。
【発明の詳細な説明】
【０００１】
【発明の属する技術分野】
本発明は、バイアル瓶やボトル等のゴム栓付き瓶類と、アンプル瓶から流体を吸引できる吸液体、特に合成樹脂製の吸液体に関するものである。
【０００２】
【従来の技術】
通常バイアル瓶やボトル等のゴム栓付き瓶類とアンプル瓶の使用例の１つとしては、例えば、ゴム栓のついたバイアル瓶から生食を取り、粉末の入ったアンプル瓶に注入して薬液を調整し、その後、そのアンプル瓶からミキシングした薬液を吸引して、注射器本体に薬液を注入することが行なわれている。
【０００３】
この場合の作業として、１本の金属性注射針で各作業を行なう場合、バイアル瓶のゴム栓に注射針を刺して内部の生食を注射器に取り、その生食をアンプル瓶に注入することは可能である。従って、１本の注射針を使ってアンプル瓶内で混合薬液を生成することができる。しかし、こうして作成した薬液を同じ注射針でアンプル瓶から吸引する際に、注射針の長さ、アンプル瓶の深さ、アンプル瓶の開口部の径等によって、アンプル瓶の底にたまった薬液を完全に吸引することができない場合がある。その理由は、注射針の長さが開口部から底部までのアンプル瓶の深さに対して短かく、注射針の先端がアンプル瓶の底まで届かないことによる。
【０００４】
また、図５に示すように、アンプル瓶を水平にする又はその開口部１２ｃが少し下になるように傾斜させておき、この開口部１２ｃ付近に溜まった液体Ｅを吸引することもよく行われている。この場合、アンプル瓶１２内の液体は、開口部１２ｃから容器本体への拡大形状の角部１２ｂに溜まり、注射針Ｃが短くても液を吸引でき易くなる。しかし、この角部１２ｂの液体Ｅを吸引するために金属製の注射針Ｃを挿入した際に、金属製注射針Ｃの先端が角部１２ｂの内壁に達しない場合がある。また、角部１２ｂの内壁に達していても、金属針Ｃの先端形状が、かなり鋭角な傾斜形状で、その先端に吸引口Ｃ１を形成しているので、この吸引口Ｃ１の一部が角部１２ｂの液体に浸かっているだけで、液が吸引できない場合がある。
【０００５】
特に、誤穿刺等のトラブル対策や取扱いの安全面を考慮して、金属製の注射針に代えて合成樹脂製の吸引体を使用することがある。図６に示すように、この合成樹脂製の吸引体Ｄでは、バイアル瓶やボトルなどのゴム栓に穿刺する場合を考慮して、通常、先端部分は尖った形状に形成され、先端には吸引口Ｄ１が形成されてないものが使用されている。吸引口Ｄ１は、この先端部からほんのわずか後退した位置の側面部に形成されている。この合成樹脂製の吸引体Ｄを使用して、上記のようなアンプル瓶１２の角部１２ｂの液体Ｅを吸引しようとしても、吸引体Ｄの吸引口Ｄ１が側面に設けられているために、角部１２１ｂに溜まっている液体Ｅの途中までしか吸引できず、この角部１２ｂの一部の液体Ｅが残ってしまう結果となる（図６）。
【０００６】
上記のような注射器や吸引体では、アンプル瓶の液体をきれいに吸引できない。そのために、バイアル瓶に突き刺すことのできる注射針とは別に、アンプル瓶専用の吸引体を使用することが考えられる。
【０００７】
そのようにすれば、両タイプの瓶からきれいに吸引できるが、２種類の吸液器を用意する必要がある。そのために、作業が煩雑となり、現場からは改善が強く求められている。
【０００８】
たとえば、バイアル瓶からの吸液体としては、先端に金属針と同様な狭口のバイアル針を有する吸液体が知られている。この例としては、特開平９―8４８７５号公報のようなものが知られている。この公報は、注射針の周囲に蛇腹状のプロテクタを設けたものを開示している。このものでは、プロテクタにより先端の鋭い注射針が誤って人に刺さる等の事故を防止するとともに、バイアル瓶のゴム栓に突き刺す際には、蛇腹状のプロテクタが収縮することで、注射針のみをゴム栓に刺すことができるようになっている。
【０００９】
このように専用の吸引器にすると、注射針が誤って刺される等の不慮の事故を防止できるが、この注射針では、吸引の際既述したような問題が発生するため、別の吸引器を用意する必要があった。
【００１０】
【発明が解決しようとする課題】
バイアル瓶等のゴム栓付き瓶類とアンプル瓶等に対して、それぞれの専用吸液体を使用すれば、それぞれの瓶からきれいに完全に薬液等を吸引できるが、別々の専用の吸液体を使用する必要があり、作業性が悪いために、アンプル瓶等とバイアル瓶等のどちらにも共用して注入・吸引できる吸引体が望まれていた。
【００１１】
本発明は、金属製注射針と同様にゴム栓に穿刺してバイアル瓶等から吸引できるとともに、アンプル瓶内部にも挿入でき、アンプル瓶等からも薬液を完全に吸引できる吸液体を提供することにある。
【００１２】
【課題を解決するための手段】
上記目的を達成するために、第１の発明は、ゴム栓付き瓶の該ゴム栓に針刺しできる第１吸引口を備える注射針状の第１吸液器が設けられ、該第１吸液器に被嵌されかつアンプル瓶の開口部より小径であって、先端に第２吸引口を有する第２吸液器が第１吸液器の長手方向に収縮可能に取付けられ、該ゴム栓に第１吸液器を穿刺する際には、第２吸液器が収縮して該第１吸引口が穿刺されるようになっているとともに、アンプル瓶から流体を吸引する際には、第２吸液器がアンプル瓶内に挿入され、第２吸液器の第２吸引口によりアンプル瓶内の液体を吸引するようになっている構成である。
【００１３】
この構成では、１本の吸液体に設けられた２つの吸液器を使い分けることで、薬液等の流体をアンプル瓶とバイアル瓶内に残すことなく両瓶からきれいに吸引できる。その上、１本の吸液体で作業できるので、作業が容易であり、誤作業を起こしにくい。
【００１４】
第２の発明は、第１の発明において、第２吸液器の第２吸引口がアンプル瓶壁面に追従して変形し得る材質からなる構成であるので、アンプル瓶の種類・形状が異なっていても、アンプル瓶内の液体を吸引することができる。特に、第２吸引口が完全にアンプル瓶の壁面形状に沿った形状に変形せずに、両者間に部分的に少し隙間があっても、吸引時の陰圧によってほぼ吸引できるので、厳密に瓶の形状に沿った形状に変形しなくても使用できる。
【００１５】
第３の発明は、第１の発明において、第１吸引器は剛性のプラスチックからなり、第２吸液器はゴムまたはエラストマーからなるので、バイアル瓶等のゴム栓に対しては第１吸液器が穿刺され、かつ第２吸液器が縮小されて第１吸液器から吸液できるとともに、アンプル瓶に対しては第２吸液器が伸張され、第２吸液器から薬液をきれいに吸引できる。アンプル瓶の角部に溜まった液体を吸引する際にも、第２吸引器の第２吸引口が角部の形状に沿って弾性変形できるので、角部のように厳しいR部形状であっても、この部分の液体をきれいに吸引できる。
【００１６】
第４の発明は、第２または３の発明において、該第１吸液器の該第１吸引口が該第１吸液器の側面部に開口され、該第１吸引口よりも先端に先細の突起部を備えるので、バイアル瓶等のゴム栓に対して穿刺する際にも、ゴムくずを生じることなく、滑らかに穿刺できる。
【００１７】
第５の発明は、第２ないし４のいずれか１つの発明において、第２吸引器の第２吸引口が第２吸引器の先端に傾斜して開口して形成され、その先端部分は、通常状態では第１吸引器の先端部分よりわずかに長く配設されているので、アンプル瓶の角部に溜まった液体を吸引する際には、第２吸引口が角部の形状に合せて弾性変形して吸引できる。
【００１８】
【発明の実施の形態】
図１ないし図３に本発明の実施形態の１例を示す。吸液体１は、シリンジ状の容器本体２の端部に第１吸液器３が嵌合或は螺合などで連結されてなる。この第１実施形態では、この吸液体１の第１吸液器３が容器本体２の端部に外嵌されている。第１吸液器３は、プラスチックからなり先端に針状の第１吸引口４を備えている。この第１吸液器３に第２吸液器５が被嵌されている。第２吸液器５はゴム又はエラストマーからなり長手方向に伸縮可能に、第１吸液器３に取付けられている。第２吸液器５は先端に第２吸引口６を備え、この第２吸引口６は傾斜して形成され、通常は第１吸引口４よりわずかに突出している。
【００１９】
この吸液体１を使用する状態を説明する。溶解液を吸引するためバイアル瓶やボトル等のゴム栓付きビン類（ここではバイアル瓶１０とする）のゴム栓に対して穿刺する際には、図２に示すように、第１吸液器３の第１吸引口４をゴム栓１１に穿刺して、内部に連通する。この時に、第２吸液器５は、ゴム栓１１に当接して収縮する。この状態で、バイアル瓶１０内の流体を吸引する。
【００２０】
次に、図３に示すように、吸引した溶媒をアンプル瓶１２に注入し、アンプル瓶１２内の粉末を溶解する。この際に第２吸液器５の第２吸液口６は元の状態に伸長し、第１吸引口４より突出しているが、第２吸液器５がアンプル瓶１２の開口部の内径よりも小さい外径となっているので、アンプル瓶１２に挿入できる。
【００２１】
このようにして生成されたアンプル瓶１２内の溶解液Ｅを、再度同じ吸液体１で吸引する。通常、アンプル瓶１２内の溶解液Ｅはわずかな量であり、図３（Ａ）に示すように、アンプル瓶１２を水平にして又は下方に傾斜させて、溶解液Ｅをアンプル瓶１２の角部１２ｂに集める。アンプル瓶１２をこのような状態にして、第２吸液器5をアンプル瓶１２内に挿入する。
【００２２】
この時に、図３（Ａ）に示すように、第２吸液器５が角部１２ｂに押当てられて、角部１２ｂの壁面に沿う形状に弾性変形し、第２吸引口６ができるだけ角部１２ｂの壁面に接触するようになるので、角部１２ｂ内の液体をきれいに吸引できる。このとき、第２吸引器５が柔軟な材質であり、第２吸引口６がアンプル瓶壁面に追従し、壁面に残る液を吸引可能（完全な密着ではないが）に密着することができる。それによって、剛直な針管に形成された吸引口では吸引不可能な場合でも、液を吸引することができる。
【００２３】
なお、アンプル瓶１２の深さが浅く、第２吸液器５をアンプル瓶１２の底１２ａまで挿入し、ここから吸引する際には、図３（Ｂ）に示すように、ゴム又はエアラストマー製の第２吸引口６が、底１２ａの形状に応じて部分的に変形して、底１２ａの形状に沿うようになる。したがって、第２吸引口６からアンプル瓶１２の薬液をきれいに吸引できる。
【００２４】
図４は、第２実施形態に関わり、第１吸液器の変形例を示す。第１実施形態と同様な部分は同じ符号とし、説明を省略する。第１吸液器２３はゴム又はエラストマーからなり、第１吸液器２３の先端には、鋭角突出部２３ａが形成され、第１吸引口２４は該突出部２３ａの少し後方の側面、即ち傾斜面２３ｂに設けられている。
【００２５】
この第２実施形態において、アンプル瓶１２に対して第２吸液器２５を挿入し、アンプル瓶１２の角部１２ｂに溜まった液体を吸引する。その際、第１吸液器２３の第１吸引口２４が先端に設けられてないため、第１吸引口２４より下方に位置する液体Ｅの吸引が問題となるが、第２実施形態では、第１吸液器２３に第２吸液器２５を被嵌して設けてあり、この第２吸液器２５の第２吸引口２６から液体Ｅが吸引されるので、液体Ｅをほぼ完全に吸引できる。
【００２６】
なお、第２吸引器５、２５を第１吸引器３、２３に外嵌して固定しているが、固定が不十分な場合には、第２吸引器５、２５の第２吸引口６、２６と反対側の端部を接着等の接合手段を使って、第１吸引器３、２３に固定しても良い。
【００２７】
上記した実施形態では、第２吸引器５、２５を第１吸引器３、２３に外嵌して、第１吸引器３、２３と第２吸引器５、２５との間にはほとんど隙間がないように取付けてある。したがって、液を吸引する時に、陰圧がかかることで、効率的に行うことができるので、好ましい。
【００２８】
ただ、第２吸引器５、２５の収縮代が不足する場合には、両者間に隙間を設けるようにしても良い。その場合には、両者間に流体が侵入しないように、図１に示す状態で、第１吸引口４と第２吸引器５の内面との間にシール部を設け、このシール部が、第２吸引器５が収縮する際に、第１吸引口４の外径に対してスライドできるようにする。このシール部は第２吸引器５に一体に形成するか別体で設けることができるが、一体に設けたほうが、部品点数が少なくなり、好ましい。
【００２９】
【発明の効果】
本発明では、第２吸液器が第１吸液器の周囲に長手方向に収縮可能に被嵌され、バイアル瓶等のゴム栓に第１吸液器を穿刺する際には、第２吸液器が収縮するようになっているとともに、アンプル瓶等から流体を吸引する際には、第２吸液器がアンプル瓶内に挿入され、第２吸液器の第２吸引口がアンプル瓶の壁面形状に追従するので、アンプル瓶から液体をきれいに吸引できる。
【００３０】
更に、第２吸液器がゴムまたはエラストマーからなるものでは、アンプル瓶の角部や底部の形状に追従して弾性変形できるので、アンプル瓶内の液体を残すことなくきれいに吸引できる。
【図面の簡単な説明】
【図１】  本発明の第１実施形態に係わる吸液体を示す。
【図２】  図１の吸液体をバイアル瓶に使用した場合を示す図である。
【図３】  図１の吸液体をアンプル瓶に使用した場合を示す図である。  図３（Ａ）はアンプル瓶の角部の液体を吸引する場合を示し、図３（Ｂ）はアンプル瓶の底部の液体を吸引する場合を示す。
【図４】  第２実施形態に関わり、吸引器の部分拡大断面図を示す。
【図５】      従来の注射器を使用してアンプル瓶の液体を吸引している状態を説明する図である。
【図６】  合成樹脂製の吸引器を使用してアンプル瓶の液体を吸引している状態を説明する図である。
【符号の説明】
１    吸液体
２    吸液体容器本体
３    第１吸液器
４    第１吸引口
５    第２吸液器
６    第２吸引口
１０  バイアル瓶
１１  ゴム栓
１２  アンプル瓶
【図１】
0003997811.tif 000002
【図２】
0003997811.tif 000003
【図３】
0003997811.tif 000004
【図４】
0003997811.tif 000005
【図５】
0003997811.tif 000006
【図６】
0003997811.tif 000007